(57)【要約】【課題】複数の画素間で配向膜の厚みがばらつくことに起因する表示品位の低下を抑制することが可能な液晶表示装置を提供する。【解決手段】この液晶表示装置は、ガラス基板３の反射表示領域２３ａに対応する領域に設けられ、ガラス基板３の背面側の表面から液晶層１に向かって突出するように形成されたトップコート膜１５を備えている。そして、所定の画素２１（２１ａ）のトップコート膜１５が設けられた凸状領域２４ａは、所定の画素２１（２１ａ）の一方側に隣接する画素２１（２１ｂ）の凸状領域２４ａと連続しており、所定の画素２１（２１ａ）のトップコート膜１５が設けられていない凹状領域２４ｂは、所定の画素２１（２１ａ）の他方側に隣接する画素２１（２１ｃ）の凹状領域２４ｂと連続している。【選択図】図３
2008233588.tif 000002
【特許請求の範囲】
【請求項１】
反射表示領域からなるサブ画素と透過表示領域からなるサブ画素とを有する画素を複数
含む液晶表示装置であって、
液晶層を挟んで互いに対向するように配置された一対の基板と、
前記一対の基板のうちの少なくとも一方の基板の前記反射表示領域に対応する領域に設
けられ、前記少なくとも一方の基板の前記液晶層側の表面から前記液晶層に向かって突出
するように形成された凸状部と、
前記液晶層の液晶分子の配向方向を制御するための配向膜とを備え、
所定の前記画素の前記凸状部が設けられた凸状領域は、前記所定の画素の一方側に隣接
する前記画素の前記凸状部が設けられた凸状領域と連続しており、
前記所定の画素の前記凸状部が設けられていない凹状領域は、前記所定の画素の一方側
とは反対の他方側に隣接する前記画素の前記凸状部が設けられていない凹状領域と連続し
ていることを特徴とする液晶表示装置。
【請求項２】
前記画素は、前記画素の一方側の領域が前記反射表示領域となり、前記画素の一方側と
は反対の他方側の領域が前記透過表示領域となるように構成された第１画素と、前記画素
の一方側の領域が前記透過表示領域となり、前記画素の一方側とは反対の他方側の領域が
前記反射表示領域となるように構成された第２画素とを含み、
前記第１画素および前記第２画素は、所定方向に１つずつ交互に配列されていることを
特徴とする請求項１に記載の液晶表示装置。
【請求項３】
前記所定の画素の凸状部は、前記所定の画素の一方側に隣接する前記画素の凸状部と連
続するように形成されていることを特徴とする請求項１または２に記載の液晶表示装置。
【請求項４】
前記凸状部は、前記反射表示領域における前記液晶層の厚みが前記透過表示領域におけ
る前記液晶層の厚みよりも小さくなるように調整するための調整膜として機能することを
特徴とする請求項１〜３のいずれかに記載の液晶表示装置。
【発明の詳細な説明】
【技術分野】
【０００１】
この発明は、液晶表示装置に関し、特に、反射表示領域からなるサブ画素と透過表示領
域からなるサブ画素とで構成された画素を有する液晶表示パネルを備えた液晶表示装置に
関する。
【背景技術】
【０００２】
従来、モノクロ表示を行うための反射表示領域からなるサブ画素と、カラー表示を行う
ための透過表示領域からなるサブ画素とを有する液晶表示パネルを備えた液晶表示装置が
知られている（たとえば、特許文献１参照）。なお、反射表示領域とは、液晶表示パネル
に入射した光（太陽光などの外光）を反射することによって、所望の画像の表示を行う領
域である。その一方、透過表示領域とは、液晶表示パネルに入射した光（バックライトユ
ニットで生成されたバックライト光）を透過させることによって、所望の画像の表示を行
う領域である。
【０００３】
上記特許文献１に開示された従来の液晶表示装置では、モノクロ表示を行うための反射
表示領域からなるサブ画素と、カラー表示を行うための透過表示領域からなるサブ画素と
で１画素を構成することによって、外光によるモノクロ表示と、バックライト光によるカ
ラー表示とを使用者の判断で切り換えることが可能となる。
【０００４】
また、従来では、上記した液晶表示装置の構成において、反射表示領域におけるセルギ
ャップ（液晶層の厚み）を透過表示領域におけるセルギャップよりも小さくしたものが知
られている。
【０００５】
図８は、上記した従来の液晶表示装置の構造の一例を簡略的に示した断面図である。ま
ず、図８を参照して、従来の液晶表示装置（液晶表示パネル）の構造について説明する。
【０００６】
従来の液晶表示装置の液晶表示パネル１２０は、図８に示すように、複数の画素１２１
を含んでいる。この液晶表示パネル１２０の複数の画素１２１は、それぞれ、４つのサブ
画素１２２ａ、１２２ｂ、１２２ｃおよび１２２ｄによって構成されている。なお、４つ
のサブ画素１２２ａ〜１２２ｄは、それぞれ、白色（Ｗ）、赤色（Ｒ）、緑色（Ｇ）およ
び青色（Ｂ）に対応している。そして、白色（Ｗ）の各サブ画素１２２ａに対応する領域
が、反射表示領域１２３ａとなっているとともに、赤色（Ｒ）、緑色（Ｇ）および青色（
Ｂ）の各サブ画素１２２ｂ〜１２２ｄに対応する領域が、透過表示領域１２３ｂとなって
いる。
【０００７】
液晶表示パネル１２０の具体的な構造としては、液晶表示パネル１２０は、液晶層１０
１と、その液晶層１０１の背面側および前面側にそれぞれ配置されたガラス基板１０２お
よび１０３とを少なくとも含んでいる。なお、図示しないが、ガラス基板１０２には、白
色（Ｗ）、赤色（Ｒ）、緑色（Ｇ）および青色（Ｂ）の各サブ画素１２２ａ〜１２２ｄに
対応する領域に１つずつ配置された薄膜トランジスタが作り込まれている。
【０００８】
ガラス基板１０２の前面側の表面上の反射表示領域１２３ａに対応する領域には、図示
しない層間絶縁膜などを介して、反射膜１０４および透明導電膜１０５が順次形成されて
いる。この反射膜１０４および透明導電膜１０５を含む２層構造体は、白色（Ｗ）の各サ
ブ画素１２２ａに対応する領域に１つずつ独立して形成されている。そして、白色（Ｗ）
の各サブ画素１２２ａの画素電極は、反射膜１０４および透明導電膜１０５を含む２層構
造体によって構成されている。なお、白色（Ｗ）の各サブ画素１２２ａの画素電極は、ガ
ラス基板１０２に作り込まれた薄膜トランジスタ（図示せず）に接続されている。
【０００９】
また、ガラス基板１０２の前面側の表面上の透過表示領域１２３ｂに対応する領域には
、図示しない層間絶縁膜などを介して、透明導電膜１０６が形成されている。この透明導
電膜１０６は、赤色（Ｒ）、緑色（Ｇ）および青色（Ｂ）の各サブ画素１２２ｂ〜１２２
ｄに対応する領域に１つずつ独立して形成されている。そして、赤色（Ｒ）、緑色（Ｇ）
および青色（Ｂ）の各サブ画素１２２ｂ〜１２２ｄの画素電極は、透明導電膜１０６によ
って構成されている。なお、赤色（Ｒ）、緑色（Ｇ）および青色（Ｂ）の各サブ画素１２
２ｂ〜１２２ｄの画素電極は、ガラス基板１０２に作り込まれた薄膜トランジスタ（図示
せず）に接続されている。
【００１０】
また、ガラス基板１０３の背面側の表面上の透過表示領域１２３ｂに対応する領域には
、赤色のカラーフィルタ１０７、緑色のカラーフィルタ１０８および青色のカラーフィル
タ１０９が形成されている。この赤色のカラーフィルタ１０７、緑色のカラーフィルタ１
０８および青色のカラーフィルタ１０９は、それぞれ、赤色（Ｒ）、緑色（Ｇ）および青
色（Ｂ）の各サブ画素１２２ｂ〜１２２ｄに対応する領域に１つずつ独立して形成されて
いる。
【００１１】
また、ガラス基板１０３の背面側の表面上の反射表示領域１２３ａに対応する領域には
、トップコート膜１１０が形成されている。このトップコート膜１１０は、白色（Ｗ）の
各サブ画素１２２ａに対応する領域に１つずつ独立して形成されている。そして、トップ
コート膜１１０の厚みは、反射表示領域１２３ａに対応する領域における液晶層１０１の
厚み（セルギャップ）が、透過表示領域１２３ｂに対応する領域におけるセルギャップの
半分となるように設定されている。このようなトップコート膜１１０を設けることによっ
て、反射表示領域１２３ａから出射される表示光（外光Ｌ１０１）の液晶層１０１におけ
る光路長と、透過表示領域１２３ｂから出射される表示光（バックライト光Ｌ１０２）の
液晶層１０１における光路長とを実質的に等しくすることが可能となる。
【００１２】
なお、図示しないが、カラーフィルタ１０７〜１０９およびトップコート膜１１０の各
々の形成領域は、ブラックマトリクスによって仕切られている。
【００１３】
また、反射表示領域１２３ａおよび透過表示領域１２３ｂに対応する領域には、透明導
電膜１１１が設けられている。具体的には、反射表示領域１２３ａに対応する領域におい
て、透明導電膜１１１は、トップコート膜１１０を覆うように形成されている。また、透
過表示領域１２３ｂに対応する領域において、透明導電膜１１１は、カラーフィルタ１０
７〜１０９の背面側の表面上に形成されている。そして、白色（Ｗ）、赤色（Ｒ）、緑色
（Ｇ）および青色（Ｂ）の各サブ画素１２２ａ〜１２２ｄの共通電極は、透明導電膜１１
１によって構成されている。
【００１４】
また、画素電極（透明導電膜１０５および１０６）の前面側の表面上および共通電極（
透明導電膜１１１）の背面側の表面上には、それぞれ、ポリイミド樹脂からなる配向膜１
１２および１１３が形成されている。そして、液晶層１０１は、配向膜１１２と配向膜１
１３との間に挟持されている。
【００１５】
【特許文献１】特開平７−１５９７７７号公報
【発明の開示】
【発明が解決しようとする課題】
【００１６】
上記した従来の液晶表示装置では、トップコート膜１１０が設けられたガラス基板１０
３側に位置する配向膜１１３を形成する際に、以下のような不都合が発生する場合がある
。すなわち、従来の液晶表示装置では、図９に示すように、配向膜１１３を構成するポリ
イミド樹脂１１３ａを印刷により塗布する際に、所定の画素１２１（１２１ａ）のトップ
コート膜１１０が設けられていない凹状領域１２４にポリイミド樹脂１１３ａが溜まり過
ぎる場合がある。そして、この状態（図９に示した状態）でポリイミド樹脂１１３ａを硬
化させることによって配向膜１１３を形成すると、所定の画素１２１（１２１ａ）の凹状
領域１２４における配向膜１１３の厚みと、所定の画素１２１以外の他の画素１２１（１
２１ｂ）の凹状領域１２４における配向膜１１３の厚みとの差が大きくなるという不都合
が発生する。また、ポリイミド樹脂１１３ａを塗布する際に、凹状領域１２４の幅とポリ
イミド樹脂１１３ａを印刷するためのローラの大きさとの関係で、凹状領域１２４へのポ
リイミド樹脂１１３ａの印刷が良好に行えない場合があるという不都合も発生する。その
結果、従来の液晶表示装置では、凹状領域１２４における配向膜１１３の厚みが複数の画
素１２１間でばらつくので、表示品位が低下するという問題点がある。
【００１７】
この発明は、上記のような課題を解決するためになされたものであり、この発明の目的
は、複数の画素間で配向膜の厚みがばらつくことに起因する表示品位の低下を抑制するこ
とが可能な液晶表示装置を提供することである。
【課題を解決するための手段】
【００１８】
上記目的を達成するために、この発明の一の局面による液晶表示装置は、反射表示領域
からなるサブ画素と透過表示領域からなるサブ画素とを有する画素を複数含む液晶表示装
置であって、液晶層を挟んで互いに対向するように配置された一対の基板と、一対の基板
のうちの少なくとも一方の基板の反射表示領域に対応する領域に設けられ、少なくとも一
方の基板の液晶層側の表面から液晶層に向かって突出するように形成された凸状部と、液
晶層の液晶分子の配向方向を制御するための配向膜とを備えている。そして、所定の画素
の凸状部が設けられた凸状領域は、所定の画素の一方側に隣接する画素の凸状部が設けら
れた凸状領域と連続しており、所定の画素の凸状部が設けられていない凹状領域は、所定
の画素の一方側とは反対の他方側に隣接する画素の凸状部が設けられていない凹状領域と
連続している。
【００１９】
なお、反射表示領域とは、液晶層に入射した光（たとえば、太陽光などの外光）を反射
することによって、所望の画像の表示を行う領域である。その一方、透過表示領域とは、
液晶層に入射した光（たとえば、バックライトユニットで生成されたバックライト光）を
透過させることによって、所望の画像の表示を行う領域である。
【００２０】
この一の局面による液晶表示装置では、上記のように、液晶層を挟んで互いに対向する
ように配置された一対の基板のうちの少なくとも一方の基板の反射表示領域に対応する領
域に、少なくとも一方の基板の液晶層側の表面から液晶層に向かって突出するように形成
された凸状部を設けることによって、凸状部の厚み（突出量）を調整することにより、反
射表示領域における液晶層の厚み（セルギャップ）を透過表示領域におけるセルギャップ
の半分にすることができる。すなわち、反射表示領域から出射される表示光（外光）の液
晶層における光路長と、透過表示領域から出射される表示光（バックライト光）の液晶層
における光路長とを実質的に等しくすることができる。
【００２１】
上記の場合、所定の画素の凸状部が設けられた凸状領域が、所定の画素の一方側に隣接
する画素の凸状部が設けられた凸状領域と連続し、所定の画素の凸状部が設けられていな
い凹状領域が、所定の画素の一方側とは反対の他方側に隣接する画素の凸状部が設けられ
ていない凹状領域と連続するように構成することによって、凸状部が設けられた少なくと
も一方の基板の液晶層側の表面上に配向膜を形成する際に、たとえば、所定の画素の凹状
領域に塗布される配向膜の構成材料の量が多く、所定の画素の他方側に隣接する画素の凹
状領域に塗布される配向膜の構成材料の量が少なかったとしても、凸状部に妨げられるこ
となく、配向膜の構成材料を所定の画素の凹状領域から所定の画素の他方側に隣接する画
素の凹状領域に向かって流動させることができる。このため、凹状領域における配向膜の
構成材料の貯留量を、所定の画素と所定の画素の他方側に隣接する画素との間で平均化す
ることができる。これにより、所定の画素の凹状領域における配向膜の厚みと、所定の画
素の他方側に隣接する画素の凹状領域における配向膜の厚みとの差が大きくなるのを抑制
することができる。また、上記のように構成すれば、凹状領域の幅（凸状領域の間隔）が
広くなることにより、配向膜の構成材料を印刷するためのローラを凹状領域に接触させや
すくすることができるので、凹状領域への配向膜の構成材料の印刷を良好に行うことが可
能となる。その結果、複数の画素間で配向膜の厚みがばらつくことに起因する表示品位の
低下を抑制することができる。
【００２２】
上記一の局面による液晶表示装置において、好ましくは、画素は、画素の一方側の領域
が反射表示領域となり、画素の一方側とは反対の他方側の領域が透過表示領域となるよう
に構成された第１画素と、画素の一方側の領域が透過表示領域となり、画素の一方側とは
反対の他方側の領域が反射表示領域となるように構成された第２画素とを含み、第１画素
および第２画素は、所定方向に１つずつ交互に配列されている。このように構成すれば、
容易に、第１画素の凸状部が設けられた凸状領域（反射表示領域）を、第２画素の凸状部
が設けられた凸状領域（反射表示領域）と連続させることができ、第１画素の凸状部が設
けられていない凹状領域（透過表示領域）を、第２画素の凸状部が設けられていない凹状
領域（透過表示領域）と連続させることができる。
【００２３】
上記一の局面による液晶表示装置において、好ましくは、所定の画素の凸状部は、所定
の画素の一方側に隣接する画素の凸状部と連続するように形成されている。このように構
成すれば、容易に、所定の画素の凸状部が設けられた凸状領域を、所定の画素の一方側に
隣接する画素の凸状部が設けられた凸状領域と連続させることができる。
【００２４】
上記一の局面による液晶表示装置において、好ましくは、凸状部は、反射表示領域にお
ける液晶層の厚みが透過表示領域における液晶層の厚みよりも小さくなるように調整する
ための調整膜として機能する。このように構成すれば、液晶層の厚みを調整するための調
整膜（凸状部）を備えた液晶表示装置において、容易に、複数の画素間で配向膜の厚みが
ばらつくことに起因する表示品位の低下を抑制することができる。
【発明の効果】
【００２５】
以上のように、本発明によれば、複数の画素間で配向膜の厚みがばらつくことに起因す
る表示品位の低下を抑制することが可能な液晶表示装置を容易に得ることができる。
【発明を実施するための最良の形態】
【００２６】
図１は、本発明の一実施形態による液晶表示装置を構成する液晶表示パネルおよびバッ
クライトユニットの斜視図である。図２は、図１に示した一実施形態による液晶表示装置
に含まれる液晶表示パネルの画素の構成を説明するための概略図である。図３および図４
は、図１に示した一実施形態による液晶表示装置に含まれる液晶表示パネルの断面図であ
る。なお、図３は、図２の１００−１００線に沿った断面に対応する図であり、図４は、
図２の２００−２００線に沿った断面に対応する図である。まず、図１〜図４を参照して
、本実施形態による液晶表示装置の構造について説明する。
【００２７】
本実施形態の液晶表示装置は、たとえば、屋外に持ち運び可能な携帯電話などの携帯機
器に用いられる。また、本実施形態の液晶表示装置は、図１に示すように、液晶表示パネ
ル２０と、バックライトユニット３０とを備えている。液晶表示パネル２０は、マトリク
ス状に配列された複数の画素（破線で囲まれた領域）２１を有しているとともに、その前
面（以下、表示面２０ａと言う）に所望の画像を表示するように構成されている。また、
バックライトユニット３０は、液晶表示パネル２０の表示面２０ａとは反対の背面２０ｂ
側に設けられている。このバックライトユニット３０は、液晶表示パネル２０の背面２０
ｂ側から液晶表示パネル２０に対してバックライト光（バックライトユニット３０で生成
された光）Ｌ２を照射するように構成されている。
【００２８】
また、図１および図２に示すように、液晶表示パネル２０の複数の画素２１は、それぞ
れ、４つのサブ画素２２ａ、２２ｂ、２２ｃおよび２２ｄによって構成されている。この
４つのサブ画素２２ａ〜２２ｄは、それぞれ、白色（Ｗ）、赤色（Ｒ）、緑色（Ｇ）およ
び青色（Ｂ）に対応している。そして、本実施形態の液晶表示パネル２０は、白色（Ｗ）
の各サブ画素２２ａによってモノクロ画像の表示が行われ、赤色（Ｒ）、緑色（Ｇ）およ
び青色（Ｂ）の各サブ画素２２ｂ〜２２ｄによってカラー画像の表示が行われるように構
成されている。
【００２９】
さらに、本実施形態の液晶表示パネル２０は、白色（Ｗ）の各サブ画素２２ａによるモ
ノクロ画像の表示動作が反射表示モードで行われ、赤色（Ｒ）、緑色（Ｇ）および青色（
Ｂ）の各サブ画素２２ｂ〜２２ｄによるカラー画像の表示動作が透過表示モードで行われ
るように構成されている。このように構成すれば、使用者の用途に応じて、白色（Ｗ）の
サブ画素２２ａによるモノクロ画像の表示と、赤色（Ｒ）、緑色（Ｇ）および青色（Ｂ）
の各サブ画素２２ｂ〜２２ｄによるカラー画像の表示とを任意に切り換えることが可能と
なる。ここで、反射表示モードとは、液晶表示パネル２０の表示面２０ａから液晶表示パ
ネル２０に入射した外光（たとえば、太陽光など）Ｌ１を液晶表示パネル２０の表示面２
０ａに向かって反射することによって、変調された外光（表示光）Ｌ１を液晶表示パネル
２０の表示面２０ａから出射するモードである。その一方、透過表示モードとは、液晶表
示パネル２０の背面２０ｂから液晶表示パネル２０に入射したバックライト光Ｌ２を液晶
表示パネル２０の表示面２０ａに向かって透過させることによって、変調されたバックラ
イト光（表示光）Ｌ２を液晶表示パネル２０の表示面２０ａから出射するモードである。
すなわち、本実施形態では、白色（Ｗ）の各サブ画素２２ａに対応する領域が反射表示領
域２３ａとなるとともに、赤色（Ｒ）、緑色（Ｇ）および青色（Ｂ）の各サブ画素２２ｂ
〜２２ｄに対応する領域が透過表示領域２３ｂとなる。
【００３０】
また、本実施形態の液晶表示パネル２０は、２種類の画素２１を所定数ずつ含んでいる
。２種類の画素２１のうちの一方の画素２１は、その一方側（画素２１の左側）の領域が
反射表示領域２３ａであり、一方側とは反対の他方側（画素２１の右側）の領域が透過表
示領域２３ｂとなるように構成されている。また、２種類の画素２１のうちの他方の画素
２１は、一方側の領域が透過表示領域２３ｂとなり、一方側とは反対の他方側の領域が反
射表示領域２３ａとなるように構成されている。なお、上記した一方の画素２１および他
方の画素２１は、それぞれ、本発明の「第１画素」および「第２画素」の一例である。
【００３１】
そして、本実施形態では、上記した一方の画素２１および他方の画素２１は、所定方向
（図２のＡ方向）に１つずつ交互に配列されている。このため、所定の画素２１（２１ａ
）に着目すると、所定の画素２１（２１ａ）の反射表示領域２３ａが、所定の画素２１（
２１ａ）の一方側（左側）に隣接する画素２１（２１ｂ）の反射表示領域２３ａと隣接し
、所定の画素２１（２１ａ）の透過表示領域２３ｂが、所定の画素２１（２１ａ）の一方
側とは反対の他方側（右側）に隣接する画素２１（２１ｃ）の透過表示領域２３ｂと隣接
している。すなわち、本実施形態では、所定の画素２１（２１ａ）に含まれる白色（Ｗ）
のサブ画素２２ａが、所定の画素２１（２１ａ）の一方側に隣接する画素２１（２１ｂ）
に含まれる白色（Ｗ）のサブ画素２２ａと隣接し、所定の画素２１（２１ａ）に含まれる
青色（Ｂ）のサブ画素２２ｄが、所定の画素２１（２１ａ）の一方側とは反対の他方側に
隣接する画素２１（２１ｃ）に含まれる赤色（Ｒ）のサブ画素２２ｂと隣接していること
になる。
【００３２】
以下に、本実施形態の液晶表示パネル２０の構造を具体的に説明する。
【００３３】
本実施形態の液晶表示パネル２０は、図３および図４に示すように、液晶層１と、その
液晶層１を挟んで互いに対向するように配置されたガラス基板２および３とを少なくとも
含んでいる。一方のガラス基板２は、液晶層１の背面側に位置しているとともに、他方の
ガラス基板３は、液晶層１の前面側に位置している。なお、ガラス基板２および３は、本
発明の「基板」の一例である。
【００３４】
ガラス基板２には、互いに交差するように配置された複数のゲート線４（図２参照）お
よび複数のデータ線５（図２参照）と、白色（Ｗ）、赤色（Ｒ）、緑色（Ｇ）および青色
（Ｂ）の各サブ画素２２ａ〜２２ｄに対応する領域に１つずつ配置された複数の薄膜トラ
ンジスタ６（図２参照）とが作り込まれている。そして、薄膜トランジスタ６のゲートは
、ゲート線４に接続されている。また、薄膜トランジスタ６のソース／ドレインの一方は
、データ線５に接続されている。さらに、薄膜トランジスタ６のソース／ドレインの他方
は、後述する画素電極に接続されている。なお、図３および図４には、図面の簡略化のた
め、ゲート線４、データ線５および薄膜トランジスタ６は図示していない。
【００３５】
また、ガラス基板２の前面側の表面上の反射表示領域２３ａおよび透過表示領域２３ｂ
に対応する領域には、透光性のアクリル樹脂からなる樹脂膜７が形成されている。この樹
脂膜７の反射表示領域２３ａに対応する領域は、その前面側の表面が凹凸形状になってお
り、樹脂膜７の透過表示領域２３ｂに対応する領域は、その前面側の表面が平坦になって
いる。
【００３６】
また、樹脂膜７の前面側の表面上の反射表示領域２３ａに対応する領域には、アルミニ
ウムからなる反射膜８およびＩＴＯ（Ｉｎｄｉｕｍ  Ｔｉｎ  Ｏｘｉｄｅ）からなる透明
導電膜９が順次形成されている。この反射膜８および透明導電膜９を含む２層構造体は、
白色（Ｗ）の各サブ画素２２ａに対応する領域に１つずつ独立して形成されている。そし
て、白色（Ｗ）の各サブ画素２２ａの画素電極は、反射膜８および透明導電膜９を含む２
層構造体によって構成されている。なお、反射膜８および透明導電膜９を含む２層構造体
（画素電極）は、樹脂膜７に形成されたコンタクトホール（図示せず）を介して、対応す
る薄膜トランジスタ６（図２参照）のソース／ドレインの他方に接続されている。また、
反射膜８および透明導電膜９を含む２層構造体（画素電極）は、下地層としての樹脂膜７
の表面が凹凸形状であるため、その樹脂膜７の表面の凹凸形状を反映した凹凸形状となっ
ている。
【００３７】
また、樹脂膜７の前面側の表面上の透過表示領域２３ｂに対応する領域には、反射膜を
介さずに、透明導電膜９と同一の層からなる透明導電膜１０が直接形成されている。すな
わち、透過表示領域２３ｂに対応する領域には、反射膜が配置されていない。また、透明
導電膜１０は、赤色（Ｒ）、緑色（Ｇ）および青色（Ｂ）の各サブ画素２２ｂ〜２２ｄに
対応する領域に１つずつ独立して形成されている。そして、赤色（Ｒ）、緑色（Ｇ）およ
び青色（Ｂ）の各サブ画素２２ｂ〜２２ｄの画素電極は、透明導電膜１０のみによって構
成されている。なお、透明導電膜（画素電極）１０は、樹脂膜７に形成されたコンタクト
ホール（図示せず）を介して、対応する薄膜トランジスタ６（図２参照）のソース／ドレ
インの他方に接続されている。また、透明導電膜１０は、下地層としての樹脂膜７の表面
が平坦であるため、平坦な形状となっている。
【００３８】
上記した反射膜８は、液晶表示パネル２０の表示面２０ａから液晶表示パネル２０に入
射した外光Ｌ１を液晶表示パネル２０の表示面２０ａに向かって反射し、液晶表示パネル
２０の背面２０ｂから液晶表示パネル２０に入射したバックライト光Ｌ２を液晶表示パネ
ル２０の背面２０ｂに向かって反射するために設けられている。すなわち、透過表示領域
２３ｂに対応する領域に反射膜を配置せずに、反射表示領域２３ａに対応する領域にのみ
反射膜８を配置した本実施形態の液晶表示パネル２０では、反射表示領域２３ａに入射し
た光（外光Ｌ１およびバックライト光Ｌ２）が反射し、透過表示領域２３ｂに入射した光
（外光Ｌ１およびバックライト光Ｌ２）が透過することになる。したがって、本実施形態
では、白色（Ｗ）の各サブ画素２２ａによるモノクロ画像の表示動作を反射表示モードで
行い、赤色（Ｒ）、緑色（Ｇ）および青色（Ｂ）の各サブ画素２２ｂ〜２２ｄによるカラ
ー画像の表示動作を透過表示モードで行うことが可能となる。
【００３９】
また、ガラス基板３の背面側の表面上の反射表示領域２３ａおよび透過表示領域２３ｂ
に対応する領域には、クロムからなるブラックマトリクス１１が形成されている。このブ
ラックマトリクス１１は、白色（Ｗ）、赤色（Ｒ）、緑色（Ｇ）および青色（Ｂ）の各サ
ブ画素２２ａ〜２２ｄに対応する領域を取り囲むように形成されている。すなわち、ブラ
ックマトリクス１１の白色（Ｗ）、赤色（Ｒ）、緑色（Ｇ）および青色（Ｂ）の各サブ画
素２２ａ〜２２ｄに対応する領域には、開口部１１ａが形成されている。そして、白色（
Ｗ）、赤色（Ｒ）、緑色（Ｇ）および青色（Ｂ）の各サブ画素２２ａ〜２２ｄは、ブラッ
クマトリクス１１によって仕切られている。
【００４０】
また、透過表示領域２３ｂに対応する領域には、赤色（Ｒ）、緑色（Ｇ）および青色（
Ｂ）の各サブ画素２２ｂ〜２２ｄに対応する領域に位置するブラックマトリクス１１の開
口部１１ａを埋め込むように、カラー画像の表示を行うための樹脂製のカラーフィルタ１
２、１３および１４が形成されている。具体的には、カラーフィルタ１２は、赤色に着色
されており、赤色（Ｒ）の各サブ画素２２ｂに対応する領域に１つずつ独立して形成され
ている。また、カラーフィルタ１３は、緑色に着色されており、緑色（Ｇ）の各サブ画素
２２ｃに対応する領域に１つずつ独立して形成されている。また、カラーフィルタ１４は
、青色に着色されており、青色（Ｂ）の各サブ画素２２ｄに対応する領域に１つずつ独立
して形成されている。なお、反射表示領域２３ａに対応する領域（白色（Ｗ）の各サブ画
素２２ａに対応する領域）には、カラーフィルタは設けられていない。
【００４１】
これにより、赤色（Ｒ）の各サブ画素２２ｂに対応する領域では、液晶表示パネル２０
の背面２０ｂからバックライト光Ｌ２が入射されると、そのバックライト光Ｌ２が赤色の
カラーフィルタ１２を介して液晶表示パネル２０の表示面２０ａから出射される。また、
緑色（Ｇ）の各サブ画素２２ｃに対応する領域では、液晶表示パネル２０の背面２０ｂか
らバックライト光Ｌ２が入射されると、そのバックライト光Ｌ２が緑色のカラーフィルタ
１３を介して液晶表示パネル２０の表示面２０ａから出射される。また、青色（Ｂ）の各
サブ画素２２ｄに対応する領域では、液晶表示パネル２０の背面２０ｂからバックライト
光Ｌ２が入射されると、そのバックライト光Ｌ２が青色のカラーフィルタ１４を介して液
晶表示パネル２０の表示面２０ａから出射される。その一方、白色（Ｗ）の各サブ画素２
２ａに対応する領域では、液晶表示パネル２０の表示面２０ａから入射した外光Ｌ１が反
射膜８で反射されると、その外光Ｌ１がカラーフィルタを介さずに液晶表示パネル２０の
表示面２０ａから出射されることになる。
【００４２】
また、反射表示領域２３ａに対応する領域には、白色（Ｗ）の各サブ画素２２ａに対応
する領域に位置するブラックマトリクス１１の開口部１１ａを埋め込むように、透光性の
アクリル樹脂からなるトップコート膜１５が形成されている。このトップコート膜１５は
、ガラス基板３の背面側の表面（液晶層１側の表面）から液晶層１に向かって突出した形
状を有している。
【００４３】
ここで、本実施形態では、トップコート膜１５は、各々の反射表示領域２３ａ（白色（
Ｗ）のサブ画素２２ａに対応する領域）が互いに隣接している画素２１間で連続するよう
に形成されている。具体的には、所定の画素２１（２１ａ）に着目すると、所定の画素２
１（２１ａ）のトップコート膜１５は、所定の画素２１（２１ａ）の一方側（左側）に隣
接する画素２１（２１ｂ）のトップコート膜１５と連続するように形成されている。これ
により、所定の画素２１（２１ａ）のトップコート膜１５が設けられた凸状領域２４ａは
、所定の画素２１（２１ａ）の一方側に隣接する画素２１（２１ｂ）のトップコート膜１
５が設けられた凸状領域２４ａと連続することになる。なお、所定の画素２１（２１ａ）
のトップコート膜１５が設けられていない凹状領域２４ｂは、所定の画素２１（２１ａ）
の一方側とは反対の他方側（右側）に隣接する画素２１（２１ｃ）のトップコート膜１５
が設けられていない凹状領域２４ｂと連続することになる。
【００４４】
また、トップコート膜１５の厚みは、反射表示領域２３ａに対応する領域における液晶
層１の厚み（セルギャップ）が、透過表示領域２３ｂに対応する領域におけるセルギャッ
プよりも小さくなるように設定されている。具体的には、本実施形態では、反射表示領域
２３ａに対応する領域におけるセルギャップが、透過表示領域２３ｂに対応する領域にお
けるセルギャップの半分となっている。これにより、本実施形態では、反射表示領域２３
ａから出射される表示光（外光Ｌ１）の液晶層１における光路長と、透過表示領域２３ｂ
から出射される表示光（バックライト光Ｌ２）の液晶層１における光路長とが実質的に等
しくなる。なお、トップコート膜１５は、本発明の「凸状部」および「調整膜」の一例で
ある。
【００４５】
また、反射表示領域２３ａおよび透過表示領域２３ｂに対応する領域には、ＩＴＯから
なる透明導電膜１６が設けられている。具体的には、反射表示領域２３ａに対応する領域
において、透明導電膜１６は、トップコート膜１５を覆うように形成されている。また、
透過表示領域２３ｂに対応する領域において、透明導電膜１６は、カラーフィルタ１２〜
１４の背面側の表面上に形成されている。そして、白色（Ｗ）、赤色（Ｒ）、緑色（Ｇ）
および青色（Ｂ）の各サブ画素２２ａ〜２２ｄの共通電極は、透明導電膜１６によって構
成されている。
【００４６】
また、画素電極（透明導電膜９および１０）の前面側の表面上および共通電極（透明導
電膜１６）の背面側の表面上には、それぞれ、ポリイミド樹脂からなる配向膜１７および
１８が形成されている。この配向膜１７および１８は、液晶層１の液晶分子の配向方向を
制御する機能を有している。そして、液晶層１は、配向膜１７と配向膜１８との間に挟持
されている。すなわち、配向膜１７および１８は、それぞれ、液晶層１の背面側および前
面側に配置されている。
【００４７】
本実施形態では、上記のように、所定の画素２１（２１ａ）のトップコート膜１５が設
けられた凸状領域２４ａが、所定の画素２１（２１ａ）の一方側に隣接する画素２１（２
１ｂ）のトップコート膜１５が設けられた凸状領域２４ａと連続し、所定の画素２１（２
１ａ）のトップコート膜１５が設けられていない凹状領域２４ｂが、所定の画素２１（２
１ａ）の一方側とは反対の他方側に隣接する画素２１（２１ｃ）のトップコート膜１５が
設けられていない凹状領域２４ｂと連続するように構成することによって、トップコート
膜１５が設けられたガラス基板３の背面側の表面上に配向膜１８を形成する際に、たとえ
ば、所定の画素２１（２１ａ）の凹状領域２４ｂに塗布されるポリイミド樹脂の量が多く
、所定の画素２１（２１ａ）の他方側に隣接する画素２１（２１ｃ）の凹状領域２４ｂに
塗布されるポリイミド樹脂の量が少なかったとしても、凸状のトップコート膜１５に妨げ
られることなく、ポリイミド樹脂を所定の画素２１（２１ａ）の凹状領域２４ｂから所定
の画素２１（２１ａ）の他方側に隣接する画素２１（２１ｃ）の凹状領域２４ｂに向かっ
て流動させることができる。このため、凹状領域２４ｂにおけるポリイミド樹脂の貯留量
を、所定の画素２１（２１ａ）と所定の画素２１（２１ａ）の他方側に隣接する画素２１
（２１ｃ）との間で平均化することができる。これにより、所定の画素２１（２１ａ）の
凹状領域２４ｂにおける配向膜１８の厚みと、所定の画素２１（２１ａ）の他方側に隣接
する画素２１（２１ｃ）の凹状領域２４ｂにおける配向膜１８の厚みとの差が大きくなる
のを抑制することができる。その結果、複数の画素２１間で配向膜１８の厚みがばらつく
ことに起因する表示品位の低下を抑制することができる。
【００４８】
図５および図６は、本発明の一実施形態による液晶表示装置の製造プロセスを説明する
ための断面図である。次に、図５および図６を参照して、図３および図４に示した液晶層
１の前面側に配置される配向膜１８を形成する際の動作について説明する。なお、図５お
よび図６では、一方側が右側となり、他方側が左側となる。
【００４９】
液晶層１の前面側に配置される配向膜１８を形成する際には、図５に示すように、まず
、塗布法を用いて、透明導電膜１６の全面上に、配向膜１８の構成材料であるポリイミド
樹脂１８ａを塗布する。
【００５０】
この際、所定の画素２１（２１ａ）の凹状領域２４ｂに塗布されるポリイミド樹脂１８
ａの量が多く、所定の画素２１（２１ａ）の他方側に隣接する画素２１（２１ｃ）の凹状
領域２４ｂに塗布されるポリイミド樹脂１８ａの量が少なかった場合には、ポリイミド樹
脂１８ａが所定の画素２１（２１ａ）の凹状領域２４ｂから所定の画素２１（２１ａ）の
他方側に隣接する画素２１（２１ｃ）の凹状領域２４ｂに向かって流動する。これにより
、図６に示すように、所定の画素２１（２１ａ）の凹状領域２４ｂにおけるポリイミド樹
脂１８ａの貯留量と、所定の画素２１（２１ａ）の他方側に隣接する画素２１（２１ｃ）
の凹状領域２４ｂにおけるポリイミド樹脂１８ａの貯留量とが実質的に同じになる。さら
に、凹状領域２４ｂの幅（凸状領域２４ａの間隔）が広くなるので、印刷法で用いるロー
ラを凹状領域２４ｂに接触させやすくすることができる。このため、印刷法でポリイミド
樹脂１８ａを塗布する場合に、凹状領域２４ｂへのポリイミド樹脂１８ａの印刷を良好に
行うことができるので、印刷のムラが生じ難くなる。
【００５１】
この後、ポリイミド樹脂１８ａを硬化させることによって、ポリイミド樹脂１８ａから
なる配向膜１８が形成される。
【００５２】
なお、今回開示された実施形態は、すべての点で例示であって制限的なものではないと
考えられるべきである。本発明の範囲は、上記した実施形態の説明ではなく特許請求の範
囲によって示され、さらに特許請求の範囲と均等の意味および範囲内でのすべての変更が
含まれる。
【００５３】
たとえば、上記実施形態では、白色（Ｗ）、赤色（Ｒ）、緑色（Ｇ）および青色（Ｂ）
の各サブ画素２２ａ〜２２ｄを、図２に示すように配置したが、本発明はこれに限らず、
白色（Ｗ）、赤色（Ｒ）、緑色（Ｇ）および青色（Ｂ）の各サブ画素２２ａ〜２２ｄを、
図７に示すように配置してもよい。この場合、赤色（Ｒ）、緑色（Ｇ）および青色（Ｂ）
にそれぞれ対応する３つのサブ画素２２ｂ〜２２ｄに、白色（Ｗ）に対応する３つのサブ
画素２２ａをさらに加えた６つのサブ画素によって１画素２１が構成されることになる。
【００５４】
また、上記実施形態では、液晶層の前面側に位置する基板に凸状部（トップコート膜）
が設けられた液晶表示装置に本発明を適用したが、本発明はこれに限らず、液晶層の背面
側に位置する基板に凸状部が設けられた液晶表示装置にも適用可能である。また、液晶層
を挟んで互いに対向するように配置された一対の基板の両方に凸状部が設けられた液晶表
示装置にも適用可能である。
【００５５】
また、上記実施形態では、白色（Ｗ）の各サブ画素に対応する領域を反射表示領域とし
、赤色（Ｒ）、緑色（Ｇ）および青色（Ｂ）の各サブ画素に対応する領域を透過表示領域
としたが、本発明はこれに限らず、白色（Ｗ）の各サブ画素に対応する領域を透過表示領
域とし、赤色（Ｒ）、緑色（Ｇ）および青色（Ｂ）の各サブ画素に対応する領域を反射表
示領域としてもよい。
【図面の簡単な説明】
【００５６】
【図１】本発明の一実施形態による液晶表示装置を構成する液晶表示パネルおよびバックライトユニットの斜視図である。
【図２】図１に示した一実施形態による液晶表示装置に含まれる液晶表示パネルの画素の構成を説明するための概略図である。
【図３】図１に示した一実施形態による液晶表示装置に含まれる液晶表示パネルの断面図である（図２の１００−１００線に沿った断面に対応する図）。
【図４】図１に示した一実施形態による液晶表示装置に含まれる液晶表示パネルの断面図である（図２の２００−２００線に沿った断面に対応する図）。
【図５】本発明の一実施形態による液晶表示装置の製造プロセスを説明するための断面図である。
【図６】本発明の一実施形態による液晶表示装置の製造プロセスを説明するための断面図である。
【図７】本発明の変形例による液晶表示装置に含まれる液晶表示パネルの画素の構成を説明するための概略図である。
【図８】従来の液晶表示装置の構造の一例を簡略的に示した断面図である。
【図９】従来の液晶表示装置の問題点を説明するための図である。
【符号の説明】
【００５７】
１  液晶層
２、３  ガラス基板（基板）
１５  トップコート膜（凸状部、調整膜）
１７、１８  配向膜
２１  画素
２３ａ  反射表示領域
２３ｂ  透過表示領域
２４ａ  凸状領域
２４ｂ  凹状領域
２１ａ  画素（第１画素）
２１ｂ、２１ｃ  画素（第２画素）
【図１】
2008233588.tif 000003
【図２】
2008233588.tif 000004
【図３】
2008233588.tif 000005
【図４】
2008233588.tif 000006
【図５】
2008233588.tif 000007
【図６】
2008233588.tif 000008
【図７】
2008233588.tif 000009
【図８】
2008233588.tif 000010
【図９】
2008233588.tif 000011